(57)【要約】本発明は、小出し可能な調剤又は製品を入れることができる小出しデバイスからなる。このデバイスは、小出しする製品を入れるように適合および構成された本体を具える着用可能なアイテムを具え、そこからの小出し、あるいは充填、あるいは補充を可能にする。小出しデバイスは、実質的にリング形状をしており、円周上に形成または製造されるギャップが設けられている。また、少なくとも一の小出しデバイスのディスプレイ、及び／又は補充を可能にする、補充／保存／ディスプレイスタンドが開示されている。【選択図】  図２２
2008540262.tif 000002
【特許請求の範囲】
【請求項１】
小出し可能な製品又は調剤を入れることができる着用するように構成された小出しデバイスにおいて、当該小出しデバイスが、円周上にギャップを設けたほぼリング形状に形成され、前記製品を収容するように適用及び構成され、小出し、あるいは充填、または補充可能な本体を具え、前記小出しデバイスが前記リング形状に形成されているあるいは製造されていることを特徴とする小出しデバイス。
【請求項２】
請求項１に記載の小出しデバイスにおいて前記デバイスがブレスレットであることを特徴とする小出しデバイス。
【請求項３】
請求項２に記載の小出しデバイスにおいて、前記本体の形状または断面が、ブランド表示およびラベル表示が可能なようになっていることを特徴とする小出しデバイス。
【請求項４】
請求項３に記載の小出しデバイスにおいて、前記デバイスが首、手首、腕、脚、踵、ウエスト、他などの人体のいずれかの部分に着用するような形状に適合されている、及び／又は、あらゆる種類のアイテムに取り付けるような形状に適合されていることを特徴とする小出しデバイス。
【請求項５】
請求項４に記載の小出しデバイスにおいて、前記デバイスが、捻ることが可能で、絞ることが可能で、その成形形状を維持することができるタイプの材料でできていることを特徴とする小出しデバイス。
【請求項６】
請求項５に記載の小出しデバイスにおいて、その円周上に設けた前記ギャップが小出しする調剤の充填を可能にすることを特徴とする小出しデバイス。
【請求項７】
請求項６に記載の小出しデバイスにおいて、前記本体が中空状であり、本体中に前記小出しする調剤を封入することができることを特徴とする小出しデバイス。
【請求項８】
請求項７に記載の小出しデバイスにおいて、前記小出しする調剤が、クリーム、液体あるいは小さな固体ピースなどの化粧品、薬剤、または栄養剤であることを特徴とする小出しデバイス。
【請求項９】
請求項８に記載の小出しデバイスにおいて、少なくとも一の小出し端部が、キャップタイプの小出し手段を具え、前記キャップが少なくとも一の閉じることができる開口を具えることを特徴とする小出しデバイス。
【請求項１０】
請求項９に記載の小出しデバイスにおいて、前記キャップが使用中は取り外しできないことを特徴とする小出しデバイス。
【請求項１１】
請求項１０に記載の小出しデバイスにおいて、前記デバイスを、当該デバイスを移動中に着用者に確実に固定するようなあらゆる形状で形成することができることを特徴とする小出しデバイス。
【請求項１２】
請求項１１に記載の小出しデバイスにおいて、鍵、手回り品、あるいは宝石などのその他のアイテムに追加で取り付けることができることを特徴とする小出しデバイス。
【請求項１３】
補充容器において、当該補充容器が少なくとも一の小出しデバイスを取り外し可能に保持するように構成した形状を具え、前記小出しデバイスが小出し可能な調剤又は製品を入れており、前記小出しデバイスが着用可能に構成されており、前記小出しデバイスが円周上にギャップを有するほぼリング形状に形成されており、前記製品を収容するように適合され構成された本体を具え、この小出しデバイスから小出しが可能であり、当該デバイスがリング形状に形成あるいは製造され、前記補充容器が小出し手段を具え、調剤または製品の収容と小出しを可能にするように構成されていることを特徴とする補充容器。
【請求項１４】
ディスプレイスタンドにおいて、当該ディスプレイスタンドが、小出し可能な調剤又は製品を入れる少なくとも一の小出しデバイスをディスプレイするように構成されており、当該小出しデバイスは着用可能に構成されており、当該小出しデバイスが、円周上にギャップを有するほぼリング形状に形成されており、前記製品を収容するように適合され構成された本体を具え、この小出しデバイスから小出しが可能であり、当該デバイスがリング形状に形成あるいは製造され、前記ディスプレイスタンドが少なくとも一の小出しデバイスを取り外し可能に収容できるように構成されていることを特徴とするディスプレイスタンド。
【請求項１５】
入れ子式部分を具え、その高さを延ばすあるいは短くするよう調整できることを特徴とするディスプレイスタンド。
【請求項１６】
添付の図面を参照して本明細書に実質的に述べたとおりの小出しデバイス。
【請求項１７】
添付の図面を参照して本明細書に実質的に述べたとおりの補充容器。
【請求項１８】
添付の図面を参照して本明細書に実質的に述べたとおりのディスプレイスタンド。
【発明の詳細な説明】
【技術分野】
【０００１】
発明の属する技術分野
本発明は、化粧品、薬剤、栄養剤、およびその他の種類のアイテムまたは液体用の小出しデバイスに関する。本発明は、また、単独ではないが、特に、補充容器およびディスプレイスタンドに関する。
【０００２】
発明の背景
化粧品、薬剤、栄養剤、あるいはその他のアイテムを持ち運ぶあるいは塗布することは、旅行中に問題となり、あるいは、むしろ単純に、歩く、山に登る、泳ぐ、スキーをする、テニスまたはクリケットをするといった、なんらかのインドアまたはアウトドア活動において、積極的に関連することがある。単なる旅行はちょうど良い例である。
【０００３】
通常、ユーザは、水の入った瓶、または栄養剤の入った箱、あるいは、日焼け止めクリームのチューブといった別の容器またはデバイスを持ち運ぶ必要がある。これにより持ち運ぶべき重量が増え、容器の形状によっては非常に不便で煩わしいことになる。
【０００４】
活動的な人々あるいはスポーツをする人々は、従って、持ち運びが容易で、その内容物へのアクセス性がよく、内容物の使用が容易な小出しデバイスを必要としている。特に、その内容物へ即座にアクセスが必要である場合、及びある種の薬剤あるいは化粧品の場合は、頻繁に再塗布する必要がある場合は、その容器は、持ち運びが容易で、見やすく、アクセスが容易で、開きやすく、使用しやすく、閉じやすく、保存しやすいものでなければならない。
【０００５】
このような製品を市場関連価格で提供するためには、
１） 相当数のシームレス製造と、
２） 保健衛生上受容可能な態様にある半自動あるいは全自動装填
ができる方法で設計する必要がある。
【０００６】
有用な最小内容量は体積５０ｍｌであり、これによって、十分に使用することが可能である。
【０００７】
また、顧客保護規則をすべて遵守するためには、その内容量の最低９７％を容易に小出しできる必要がある。
【０００８】
一般的に、このようなデバイスまたは容器は、いずれも、
ａ）製造者のブランドと、
最も重要な
ｂ）使用上の指示や、全内容物成分のリスト、有効期限のリスト、その他のすべての顧客関連情報、
を含めるのに十分なスペースを常に提供するものではない。
【０００９】
顧客保護は、小出しデバイスの上に大量の情報を現し、ユーザ／顧客が容易にアクセスできることを必要とする。このデータは、あらゆる小出しデバイスまたは容器（パッケージの上のみならず）の上に表示すべきであり、従って、このようなプリントしたり、あるいはラベルを貼るべき情報に、十分なスペースをデバイスまたは容器上に提供することが、従来のデバイスの現在の問題点である。このスペースがとれないデバイスは、いずれも、市場に出すことが非常に困難となることがある。
【００１０】
身体に装着して持ち運ぶデバイスはどれも、肌に心地よい材料で製造すべきであり、あらゆるタイプのアレルギィや、その他の副作用を引き起こしてはならない。この問題は、多くのユーザにとって重大な問題になりうる。
【００１１】
いくつかのデバイスは、絞るには硬すぎる。選択された材料は、いずれも内容物を小出しするのにデバイスを容易に絞ることができなくてはならないし、一方で、ほとんどからになってもこのデバイスをその形状に維持しなければならない（材料が、その「記憶」を失ってはならない）。
【００１２】
材料適合性はもう一つの問題である。ここでは、内容物（液体、半液体、あるいは小さなアイテム）が、内容物とデバイス間の起こりうる化学反応を防止する必要がある。
【００１３】
我々の時代の環境問題により、材料の選択はリサイクル可能であることが望ましい。同じ理由で、全ての小出しデバイスまたは容器は、補充可能でなくてはならない。
【００１４】
水中、あるいは湿った環境で使用されるデバイスは、何らかの方法で防水されていなければ、このようなデバイスに問題が生じることがある。
【００１５】
ある活動に積極的にかかわる一方、どのデバイスの開口も適宜の量の内容物を小出しにするようなものでなくてはならず、また、キャップも容易かつ迅速に開くものであり、内容物へのアクセスが容易で、使用中になくならないように取り付けられたものでなくてはならない。
【００１６】
持ち運びが容易で、地上、空中または水中での使用が容易で、軽量で、経済的で、防水されており、補充可能で、完全にリサイクルできるデバイスは、今日の生活スタイルの必要性と環境問題に対する素晴らしい解決策である。
【００１７】
現在の小出しデバイスの更に別の問題は、収容と補充可能性を提供することである。
【００１８】
このような普通でない形式の小出しデバイスには、また、売主にとっては、従来のディスプレイツールを使用できないという実際上の問題がある。スペースの節約と容易にアクセスできるディスプレイの提供が必要である。このような容器の補充も、利便性とコストの問題をかかえている。
【００１９】
本発明の目的
本発明の目的は、改良した小出しデバイス、または補充容器、またはディスプレイスタンドを提供することである。これらは、前述の問題全てとは限らないがいくつかを簡単で効果的な方法で取り除く、あるいは最小限にする、あるいは有効な選択枝を公衆に提供するものである。
【００２０】
本発明の説明
従って、本発明の第１の態様は、小出し可能な調剤または製品を入れることができる小出しデバイスからなる。このデバイスは、身につけるように構成されており、ほぼリング形状で、円周上にギャップがあるように形成され、製品を収容し、それから小出し、または、充填、あるいは補充が可能なように構成され、この小出しデバイスはリング形状に形成されるあるいは製造される。
【００２１】
好ましくは、このデバイスはブレスレットである。
【００２２】
好ましくは、このデバイスは、ブランド表示あるいはラベル貼付用に十分なスペースをとるような形状である。
【００２３】
好ましくは、この小出しデバイスの本体がリング形状であり、首、手首、腕、脚、踵、ウエストなどのリムに装着するように、あるいはスポーツバッグ、ゴルフバック、その他などのアイテムに取り付けるように構成されている。
【００２４】
好ましくは、このデバイスは、このデバイスを身体に装着できるように十分な柔軟性と、ねじり性、内容物をよりよく小出しできるようにするしぼり性、および空になったときにその形状を保つための記憶性を提供する材料でできている。
【００２５】
好ましくは、デバイスの円周上のギャップによって、小出しする調剤の充填が可能である。
【００２６】
好ましくは、このデバイス本体は中空状であり、５０ｍｌの最小容量で最大体積を入れることができる。
【００２７】
好ましくは、デバイス中入っている小出しする調剤は、化粧品、薬剤、栄養剤、またはクリーム、液体、飲料、甘味、他といったその他のものであってよい。
【００２８】
好ましくは、小出しする端部に小出し手段を具えており、これは少なくとも一の閉鎖可能の開口を有するいずれかの種類のキャップである。
【００２９】
好ましくは、このキャップは使用中取り外すことができない。
【００３０】
好ましくは、このデバイスは、ユーザの移動中にリムでデバイスを保持できるものであれば、どのような形状にも形成することができる。
【００３１】
好ましくは、このデバイス本体を、鍵、手回り品、宝石類などのその他のアイテムに追加で取り付けることができる。
【００３２】
好ましくは、このデバイスは、工業的製造が可能な方法で形成される。
【００３３】
好ましくは、ブランド表示またはラベル表示は、製造者のブランド用、あるいは全ユーザへの指示用、および全内容物成分のリスト用のものである。この表示は、はっきりと刻印されているか、あるいは印刷されているか、あるいは上にラベルが貼られている。
【００３４】
好ましくは、このデバイスは、良好な保健衛生状態で内容物を半自動または自動的に充填できる形に設計され、形成されている。
【００３５】
好ましくは、端部が少なくとも一の小出し端部を具えている。
【００３６】
好ましくは、このデバイスは、全てのタイプの内容物に適合するタイプの材料でできている。
【００３７】
好ましくは、このデバイスは、太陽、高温、低温に晒すことができ、防水されており、完全にリサイクル可能な材料でできている。
【００３８】
好ましくは、このデバイスは、皮膚を刺激しない材料でできている。
【００３９】
好ましくは、このデバイスの形は、拡張用ロープを用いて両側のエッジを互いに保持できるようになっている。
【００４０】
好ましくは、デバイスの開口手段（ギャップ）が、回動部分または移動部分を具える。
【００４１】
従って、第２の態様では、本発明は、補充容器でなり、この補充容器は、少なくとも一の小出しデバイスを保持するあるいはディスプレイするように構成されており、この小出しデバイスは、小出し可能な調剤または製品を入れることができ、ここでは前記小出しデバイスは着用するように構成されており、小出しデバイスは、円周上にギャップを有しほぼリング形状に形成され、製品を収容して、そこから小出しができるように構成された本体を具え、このデバイスは、リング形状に形成または製造される。この補充容器は、小出し手段を具え、その中に調剤または製品を収容し、小出しできるように構成されている。
【００４２】
従って、第３の態様では、本発明は、ディスプレイスタンドでなり、ここではこのディスプレイスタンドは、少なくとも一の小出しデバイスをディスプレイするように構成されている。このデバイスは、小出し可能な調剤／製品を入れることができ、この小出しデバイスは、着用するように構成されている。この小出しデバイスは、円周上にギャップを有しほぼリング形状に形成され、製品を収容して、そこから小出しができるように構成された本体を具え、この小出しデバイスは、リング形状に形成または製造され、ディスプレイスタンドは、その上に小出しデバイスを収容できるような形状になっている。
【００４３】
好ましくは、ディスプレイスタンドを入れ子式にして、小出しデバイスを収容用に所望どおりに多少高さを延ばしたり縮めたりできるようにする。
【００４４】
好ましくは、このスタンドは非中空状のディスプレイデバイスであってもよい。
【００４５】
以下に本発明の実施例を、図面を参照して例示として述べる。
【図面の簡単な説明】
【００４６】
【図１】小出しデバイスの実施例１を示す斜視図である。
【図２】図１に示す本発明の側面図であり、一部の骨組みを示す。
【図３】小出しデバイスの上端部を示す図である。
【図４】小出しデバイスの小出し端部を拡大して骨組みを示す図である。
【図５】キャップのない状態の小出しデバイスの斜視図である。
【図６】一のタイプの外側キャップの構造を示すａ）乃至ｅ）を集めた図である。
【図７】内側キャップの構造を示すａ）乃至ｅ）を集めた図である。
【図８】小出しデバイスの底面図である。
【図９】小出しデバイスのウエラブルアイテムとしての使用を示す例である。
【図１０】小出しデバイスのウエラブルアイテムとしての使用を示す例である。
【図１１】キャップを嵌めた状態の小出しデバイスの第２の実施例の平面図である。
【図１２】刻印が可能である図１１に示すデバイスの平面図である。
【図１３】刻印が可能である図１１に示すデバイスの平面斜視図である。
【図１４】キャップのない状態の図１１のデバイスの斜視図である。
【図１５】図１１の小出し端部を拡大した側面図である。
【図１６】図１１のデバイスの三次元斜視図である。
【図１７】別のタイプのキャップを嵌めた図１１に示すデバイスの斜視図である。
【図１８】図１７に示すデバイスの正面図である。
【図１９】図１７に示すデバイスの端面図である。
【図２０】図１７に示すデバイスのもう一方の端面図である。
【図２１】図１７に示すデバイスの断面図である。
【図２２】キャップを嵌めた状態の小出しデバイスの第３の実施例の斜視図である。
【図２３】図２２に示すデバイスの端面図である。
【図２４】図２２に示すデバイスの側面図である。
【図２５】キャップのない状態の図２２に示すデバイスを示す図である。
【図２６】キャップのない状態の図２２に示すデバイスを示す図である。
【図２７】キャップのない状態の図２２に示すデバイスを示す図である。
【図２８】キャップのない状態の図２２に示すデバイスを示す図である。
【図２９】開放可能な容器である補充／保存／ディスプレイスタンドを示す図である。
【図３０】開放可能な容器である補充／保存／ディスプレイスタンドを示す図である。
【図３１】開放可能な容器である補充／保存／ディスプレイスタンドを示す図である。
【図３２】開放可能な容器である補充／保存／ディスプレイスタンドを示す図である。
【図３３】開放可能な容器である補充／保存／ディスプレイスタンドを示す図である。
【図３４】開放可能な容器である補充／保存／ディスプレイスタンドを示す図である。
【図３５】開放可能な容器である補充／保存／ディスプレイスタンドを示す図である。
【図３６】別のディスプレイスタンドを示す斜視正面図である。
【００４７】
発明の詳細な説明
図１乃至２８に示すように、身につける、取り付ける、またその内容物を小出しにし、あるいは充填または補充に使用できる形状の小出しデバイスがある。この小出しデバイスは、特に、移動中、仕事中、スポーツをしている、あるいはインドアまたはアウトドアで遊んでる人々に有益である。
【００４８】
図１乃至１０の小出しデバイス１は、身につけるあるいはそこから小出しにするために、形成時または製造時にすでに実質的にリング形状であってもよい。このデバイスは、ユーザが小出しデバイスを身につけることができる、あるいはその他のものに取り付けることができるように、間にスペース５を形成している本体２を具える。この小出しデバイスは、図９及び１０に示すように、腕、手首、脚、踵、ウエストまたは首など、身体のあらゆるリムまたはその他の部分に装着することができる。このデバイスの一例はブレスレットである。代替的に、この小出しデバイスは、ベルトをした後のウエストなど身体のその他の部分に身につけるような形状にすることもできる。
【００４９】
この小出しデバイスアイテムの本体２は、また、その内容物（図示せず）を封入し小出しにするための中空スペース（ラベルは貼られていない）を形成するように構成されている。本体２は、第２のスペース５を囲んでいる形状を有しており、ユーザがその中に身体の一部を挿入できるようにしている。例えば、この身体部分は、腕、手首、脚または踵であっても良い。このスペース５は、全寸法において囲んではいない。本体２は、端部３および４を有し、これらの間に円周上のスペースまたはギャップ６を形成して、小出しデバイスのアイテムをいずれかのリムにフィットさせる、あるいはこのアイテムのその他のものの上への取り付けを補助しており、及び／又は、充填または小出しを可能としている。ギャップ６のサイズと位置は必要に応じて変えることができる。
【００５０】
図２及び４に示すように、少なくとも一方の端部に小出し手段７が設けられている。この小出し手段７は、キャップのようなものであっても良いが、操作が容易で、漏れる恐れがないように内容物を小出しできるよう開放可能であることが必要である。図４及び６乃至８に例示がなされているが、ラベルは貼られていない。
【００５１】
本体を絞ることによって、中から内容物を出すことができる。この内容物は、本体から取り出すことができるような軟度がなくてはならない。小出しデバイスの内容物は、ユーザが必要とするどのようなものでもよい。この例では、化粧品、薬剤、栄養剤、あるいは、日焼け止めクリーム、モイスチュアライザなどその他の調剤、あるいは、甘味、飲料、その他の製品であってもよい。
【００５２】
また、実際の小出しは、アクセスが容易であり、移動中あるいは旅行中に、切り離して使い捨てる部分あるいは突出部分が不要な状態で使用できるものである。使用するキャップの種類に応じて、様々な小出し方法を用いることができる。
【００５３】
本体は、柔軟性があり、ねじることができ、絞ることができるが、半分になってもデバイスが変形せず、内容物に適合して、小出しを容易にするいずれかの好適な材料で作ることができる。この材料は、例えば、プラスチック、金属あるいはゴム、あるいはこれらの組み合わせであっても良い。本体２は、漏れを防ぐために密封可能でなくてはならない。また、耐久性があり、軽量で、水に浮き、ＵＶ防止性であり、防水性があり、リサイクル可能なものであっても良い。
【００５４】
本体２の表面は、製品のブランド表示あるいはラベル表示のための十分なスペースがあるものでよく、顧客情報に関する規則を遵守するものである。小出しデバイスは、ユーザの要求に応じたサイズと形状であり、必要な体積を有する。例えば、子供用には小さなサイズとすることができ、１０代および大人用には若干大きなサイズとすることができる。
【００５５】
小出しデバイス１は、また、色を付けたり、あるいは「ファンキィ」な、あるいは「トレンディ」な形状にして、あるいは使い捨てまたは補充可能なアイテムにして、ファッションアクセサリとして考えることもできる。別のオプションでは、このデバイスは透明であり、内容物が見えるようにしてもよい。このデバイスは、移動中の使用を容易にするためにワンピースであるべきである。様々な部品を組み立てる場合は、使用中に容易に外れるようなことがあってはならない。すべての突出部分は危険なものであってはならない。その他のアタッチメントも、キーリング、鍵、口紅、電話、その他などのアイテムを含む。
【００５６】
図１１乃至２１は、本発明のもう一つの実施例を示す図である。小出しデバイス８は、実質的にリング形状の本体９であり、間に適宜の囲んだスペース１０を形成して、このデバイスを例えば、身体のいずれかの部分に装着できるように、あるいは何らかのものの上に取り付けられるようにしている。これは、図９、１０、および３３乃至３７に示すように、腕、脚、手首、ウエスト、または小出しデバイスを収容し、あるいはそこからディスプレイすることができるあらゆるものであってもよい。
【００５７】
図１２は、ブランドを刻印するのに十分なスペースをとった形状の小出しデバイスの表面を示す。図１３は、小出しデバイスのラベリングを可能にするスペースを示す。図１５は、本体１４と１５の二つの部分でできたキャップを有し、その開口の完全な整合によって内容物を小出しできるタイプの別の小出し手段を示す。
【００５８】
別体でキャップと相互フィットできるフランジ及び／又はシーリングリングなどのその他のシーリング手段をキャップに設けることもできる。
【００５９】
図１６は、本体９の上に明確に表示されるようにブランドを刻印できるスペースを有する三次元形状の小出しデバイスを示す。
【００６０】
本体９は、装着を可能にするあらゆる方法で形成することができる。例えば、円形または楕円形、あるいは正方形または長方形、あるいはいずれかの変形またはこれらの組み合わせである。図１１乃至２８に示すように、この形状は完全に丸くなく、ほぼ楕円形である。本体９は、少なくとも一つの小出し端部１２と、少なくとも一つの閉鎖端部１３を有する。別の変形例では、二つの小出し端部を設けることもできる。本体９は断面１１を有する。断面１１は、小出しをして閉じることができるものであれば、どのような断面であっても良い。
【００６１】
更に、本体９は、リブ、外部リブ、グリップ部などのその他の突起や、さらに本体を強化する強化手段を有していても良い。このデバイスは、また、耐衝撃性およびＵＶ防止性であっても良い。
【００６２】
図２２乃至２８は、図１乃至１０と同じ符号を使用しており、小出しデバイスの更なる例を示す。これらの図面は、本体２の製造を容易にし、使用を心地よいものにする丸い特徴を示している。図２７は、本体２の底面図である。
【００６３】
このバージョンの小出しデバイスによれば、保持すべき製品あるいは内容物をより大量に小出しすることができる。
【００６４】
図２９乃至３５に示すような補充容器
図２９乃至３５は、本体２０を有する補充容器を具える、補充／保存／ディスプレイスタンドアッセンブリの例を示す図である。本体２０は、一般的な筒状をしており、小出しデバイス１に補充する化粧品、医薬品、栄養剤、あるいはその他の液体を収容するための中空スペースを形成している。補充容器の別のオプションは、組み合わせてあるいは別々にディスプレイ手段として使用する、あるいは少なくとも一の小出しデバイス１を取り外し可能に保持する、あるいは単に、別の小出しまたは補充デバイスとして使用できるような形状に適合されている。
【００６５】
図３４は、小出しデバイスを設けた容器本体２０の平面図であり、図３５は、同じ組み合わせの底面図である。本体２０は、本例において少なくとも一の小出しデバイス本体１を図２９乃至３５に示すように取り付けることができる方法で形成するべきである（図３３参照）。
【００６６】
図２９乃至３３は、カバー１９を有する小出し手段を具える補充／保存／ディスプレイ容器本体２０を示しており、このカバーは容易にあけて小出しすることができるあらゆる種類のキャップと開口であってもよい。例えば、フリップトップキャップを使用することができる。
【００６７】
アッセンブリまたはキットが、少なくとも一の小出しデバイス１を取り外し可能に保持する形状のディスプレイスタンドを具えていても良い。例えば、小出しデバイス１は、日焼け止めクリームを収容あるいは入れることができ、容器２０は、小出しデバイス１の補充用の日焼け止めクリームと、あるいは日焼け後の化粧水あるいは飲料などのまったく関係のないものを入れるものであっても良い。
【００６８】
材料という意味では、補充／保存／ディスプレイスタンド容器は、柔軟性があって、捻ることができ、絞ることができ、形状が失われず、内容物に適合性があるものであれば、どのような種類のものでできていても良く、防水性で、リサイクル可能である。
【００６９】
図３６に示すようなディスプレイスタンド
図３６は、少なくとも一の小出しデバイス１を取り外し可能に保持するような形状に構成された本体２４を有するディスプレイスタンドに置いた本体９を有する様々な小出しデバイス１を示す図である。このスタンドは、小売またはその他の環境において、ディスプレイ用及び／又は保存スペースを節約する目的で使用される。本体２４は、様々なサイズの、様々な数の小出しデバイス（本体９）を保持するような形状にすることができる。調整手段２５を入れ子式として、高さを容易に変更する（低くするまたは伸ばす）ことができ、様々な数の小出しデバイス（本体９）を重ねることができるように調整可能に固定することができる。
【００７０】
本体２４は、プラスチック、プレキシグラス、スチール、アルミニウム、あるいはその他といった様々な種類の材料で作ることができる。
【００７１】
本発明が関連する分野の当業者は、特許請求の範囲に規定されている本発明の範囲から外れることなく、構成における多くの変更、本発明の広く様々な実施例および適用例を提言するであろう。この開示および記載は、純粋に例示のためのものであり、あらゆる意味で限定を意図するものではない。
【００７２】
本明細書の発明の説明及び記載を通じて、「具える」の用語および「具えている」といったこの用語の変形は、その他の追加、構成要素、完成品あるいはステップを排除することを意図するものではない。
【００７３】
Ａ）小出しデバイスは以下の利点の少なくとも一つを有する：
１． ファッションとの実用的な組み合わせ
２． 着用が容易及び／又は持ち運びが容易
３． 内容物の再適用を思い起こさせ、容易である
４． 操作が単純であり、あらゆる活動に従事できる
５． 製造が経済的である
６． 軽量でしっかりした構造である
７． 半自動または全自動充填ができる
８． 刻印およびラベル表示スペースがある
９． 防水されており、リサイクル可能で、補充可能である
１０． なくしにくい
１１． 現実的なコストで製造可能である
１２． その他のアイテムに容易に取り付けることができる
１３． 内容物を安全に封入することができる
【００７４】
Ｂ）補充／保存／ディスプレイスタンドまたは容器は、以下の利点の少なくとも一つを有する：
１． ７５０ｍｌの内容量の化粧品、薬剤、栄養剤、あるいはその他を容易に収容することができる
２． 少なくとも二つの小出しデバイスをディスプレイ／保存することができる
３． 小出しデバイスを補充することができる
【００７５】
Ｃ）ディスプレイスタンドは以下の利点の少なくとも一つを有する：
１． 革新的で特徴的な外観
２． ディスプレイされた製品への容易なアクセス可能性を提供する
３． 入れ子式機能でそのサイズを容易に変更できる
４． 最小の棚スペース用にスペース節約形状をとる
【図１】
2008540262.tif 000003
【図２】
2008540262.tif 000004
【図３】
2008540262.tif 000005
【図４】
2008540262.tif 000006
【図５】
2008540262.tif 000007
【図６】
2008540262.tif 000008
【図７】
2008540262.tif 000009
【図８】
2008540262.tif 000010
【図９】
2008540262.tif 000011
【図１０】
2008540262.tif 000012
【図１１】
2008540262.tif 000013
【図１２】
2008540262.tif 000014
【図１３】
2008540262.tif 000015
【図１４】
2008540262.tif 000016
【図１５】
2008540262.tif 000017
【図１６】
2008540262.tif 000018
【図１７】
2008540262.tif 000019
【図１８】
2008540262.tif 000020
【図１９】
2008540262.tif 000021
【図２０】
2008540262.tif 000022
【図２１】
2008540262.tif 000023
【図２２】
2008540262.tif 000024
【図２３】
2008540262.tif 000025
【図２４】
2008540262.tif 000026
【図２５】
2008540262.tif 000027
【図２６】
2008540262.tif 000028
【図２７】
2008540262.tif 000029
【図２８】
2008540262.tif 000030
【図２９】
2008540262.tif 000031
【図３０】
2008540262.tif 000032
【図３１】
2008540262.tif 000033
【図３２】
2008540262.tif 000034
【図３３】
2008540262.tif 000035
【図３４】
2008540262.tif 000036
【図３５】
2008540262.tif 000037
【図３６】
2008540262.tif 000038
【手続補正書】
【提出日】平成18年10月27日(2006.10.27)
【手続補正１】
【補正対象書類名】特許請求の範囲
【補正対象項目名】全文
【補正方法】変更
【補正の内容】
【特許請求の範囲】
【請求項１】
製品を小出しする着用可能なデバイスにおいて、製品を収容するように構成されたチャンバを規定し、第１および第２の端部を具える、閉じていないループ材を具え、各端部が前記ループの前記閉じていない部分を規定するスペースによって分離されており、前記デバイスがバイアスされていない第１の位置からバイアスされている第２の位置へ移動して、この予め存在するスペースを一時的に拡張することができ、前記デバイスを着用者の一部の回りにフィットさせることができるように構成され、前記デバイスが前記バイアスされていない位置に戻ることができるときは着用者に着用されており、前記デバイスが前記チャンバ内に収納する製品を小出しする手段を前記デバイスの一方の端部に設けており、バイアスされていない状態にある前記デバイスの各端部におけるそれぞれの主軸が互いに対してほぼ直交していることを特徴とする小出しデバイス。
【請求項２】
請求項１に記載のデバイスにおいて、前記デバイスが再度シーリングできるキャップを具え、当該キャップとデバイスが相補係合手段を具え、当該キャップを、製品を小出しにする手段を具える前記デバイスの前記端部に取り外し可能にフィットさせうることを特徴とするデバイス。
【請求項３】
請求項２に記載のデバイスにおいて、前記キャップがフリップトップキャップの上のネジであり、少なくとも一つの閉鎖可能な開口を具えることを特徴とするデバイス。
【請求項４】
請求項１又は２に記載のデバイスにおいて、前記キャップを設けていない端部のバーチャル主軸が、前記キャップを具えている端部の実またはバーチャル主軸を、実質的に前記キャップを通って２等分するか、あるいは前記デバイスから変位していることを特徴とするデバイス。
【請求項５】
請求項１乃至４のいずれか１項に記載のデバイスにおいて、前記デバイスがブレスレットであることを特徴とするデバイス。
【請求項６】
請求項１乃至５のいずれか１項に記載のデバイスにおいて、前記ループ材に、ブランド表示およびラベル表示が可能であることを特徴とするデバイス。
【請求項７】
請求項１乃至６のいずれか１項に記載のデバイスにおいて、前記デバイスが、当該デバイスを捻ることが可能で、絞ることが可能な弾性材料でできていることを特徴とするデバイス。
【請求項８】
請求項１乃至７のいずれか１項に記載のデバイスにおいて、鍵、手回り品、あるいは宝石などのその他のアイテムに追加で取り付けることができることを特徴とするデバイス。
【請求項９】
添付の図面を適宜選択するあるいは貼付の図面を適宜組み合わせたものを参照して本明細書に実質的に述べたとおりの着用可能な製品を小出しするデバイス。
【請求項１０】
請求項１乃至９のいずれか１項に記載の着用可能な製品を小出しするデバイスであって、製品を収納したデバイス。
【請求項１１】
請求項１０に記載のデバイスにおいて、前記製品が、化粧品、薬剤、日焼け止め、および栄養剤からなる群から選択されたものであることを特徴とするデバイス。
【国際調査報告】
2008540262.tif 000039
2008540262.tif 000040
2008540262.tif 000041
2008540262.tif 000042